(57)【要約】【課題】この発明は、万一何かのトラブルが発生してしまった場合においても、すべての乗客に関してのエレベータの利用履歴が消えてしまうことを防ぐことができるエレベータシステムを提供することを目的とするものである。【解決手段】乗場側利用者検知装置８ａ〜８ｃ、又はかご側利用者検知装置９によって、エレベータ利用者により携帯される携帯型情報処理装置６が検知されたときに、エレベータシステム識別情報、検知場所識別情報、及び時間情報を利用履歴情報として携帯型情報処理装置６に記憶させる。【選択図】図１
2006056678.tif 000002
【特許請求の範囲】
【請求項１】
エレベータ利用者によって携帯される携帯型情報処理装置と、
エレベータ利用者がエレベータの利用時に使用する通路及びかごの少なくともいずれか一方を含む複数箇所に配置され、上記携帯型情報処理装置を検知する複数の利用者検知手段と、
上記利用者検知手段により上記携帯型情報処理装置が検知されると、上記利用者検知手段が配置された箇所でエレベータ利用者が検出されたことを利用履歴情報として上記携帯型情報処理装置に送る履歴情報提供手段と
を備えていることを特徴とするエレベータシステム。
【請求項２】
上記携帯型情報処理装置は上記利用履歴情報に基づいて行き先までの必要予想時間をエレベータ利用者に対して提示することを特徴とする請求項１に記載のエレベータシステム。
【請求項３】
エレベータの運行を制御するエレベータ制御装置をさらに備え、
上記携帯型情報処理装置は上記利用履歴情報に基づいて行先階情報を発し、
上記エレベータ制御装置は上記行先階情報に基づいて呼び登録を行うことを特徴とする請求項１に記載のエレベータシステム。
【請求項４】
エレベータの運行を制御するエレベータ制御装置をさらに備え、
上記携帯型情報処理装置は、上記利用履歴情報に基づいて行先階情報を上記エレベータ制御装置に対して発するときに、エレベータ利用者に対して上記行先階情報に基づく行先階を提示することを特徴とする請求項１に記載のエレベータシステム。
【請求項５】
エレベータの運行を制御するエレベータ制御装置をさらに備え、
上記携帯型情報処理装置は予め登録されたエレベータ利用者の種別を示す利用者種別情報を記憶し、
上記エレベータ制御装置は上記携帯型情報処理装置から発せられる上記利用者種別情報に基づいてエレベータ装置を制御することを特徴とする請求項１〜請求項４のいずれか一項に記載のエレベータシステム。
【請求項６】
外部情報処理装置と、
エレベータ利用者によって携帯され、上記外部情報処理装置への通信方法に関する情報であるアクセス情報を記憶している携帯型記憶装置と、
エレベータ利用者がエレベータの利用時に使用する通路及びかごの少なくともいずれか一方を含む複数箇所に配置され、上記携帯型記憶装置を検知するとともに、上記携帯型記憶装置から上記アクセス情報を取得する複数の利用者検知手段と、
上記利用者検知手段により上記携帯型記憶装置が検知されると、上記利用者検知手段で取得した上記アクセス情報に基づいて上記外部情報処理装置と通信し、上記利用者検知手段が配置された箇所でエレベータ利用者が検出されたことを利用履歴情報として上記外部情報処理装置に送る履歴情報提供手段と
を備えていることを特徴とするエレベータシステム。
【請求項７】
上記外部情報処理装置は、上記利用履歴情報に基づいて行き先までの必要予想時間をエレベータ利用者に対して提示することを特徴とする請求項６に記載のエレベータシステム。
【請求項８】
上記外部情報処理装置は上記利用履歴情報に基づいて行先階情報を上記エレベータ制御装置に発し、
上記エレベータ制御装置は、上記行先階情報に基づいて呼び登録を行うことを特徴とする請求項６に記載のエレベータシステム。
【請求項９】
上記外部情報処理装置は、上記利用履歴情報に基づいて行先階情報を上記エレベータ制御装置に対して発し、
上記携帯型記憶装置は、上記エレベータ制御装置からの上記行先階情報に基づいて、エレベータ利用者に対して行先階を提示し、
上記エレベータ制御装置は、上記携帯型記憶装置からの指令に応じて、行先階の登録の可否を判断することを特徴とする請求項６に記載のエレベータシステム。
【請求項１０】
上記外部情報処理装置は予め登録されたエレベータ利用者の種別を示す利用者種別情報を記憶し、
上記エレベータ制御装置は、上記外部情報処理装置から発せられる上記利用者種別情報に基づいてエレベータ装置を制御することを特徴とする請求項６〜請求項９のいずれか一項に記載のエレベータシステム。
【請求項１１】
エレベータ利用者がエレベータの利用時に使用する通路及びかごの少なくともいずれか一方を含む複数箇所に配置され、エレベータ利用者によって携帯される携帯型情報処理装置を検知する複数の利用者検知手段と、
上記利用者検知手段により上記携帯型情報処理装置が検知されると、上記利用者検知手段が配置された箇所でエレベータ利用者が検出されたことを利用履歴情報として上記携帯型情報処理装置に送る履歴情報提供手段と
を備えていることを特徴とするエレベータシステム。
【請求項１２】
エレベータ利用者がエレベータの利用時に使用する通路及びかごの少なくともいずれか一方を含む複数箇所に配置され、エレベータ利用者によって携帯されて外部情報処理装置への通信方法に関する情報であるアクセス情報を記憶している携帯型記憶装置を検知するとともに、上記携帯型記憶装置から上記アクセス情報を取得する複数の利用者検知手段と、
上記利用者検知手段により上記携帯型記憶装置が検知されると、上記利用者検知手段で取得した上記アクセス情報に基づいて上記外部情報処理装置と通信し、上記利用者検知手段が配置された箇所でエレベータ利用者が検出されたことを利用履歴情報として上記外部情報処理装置に送る履歴情報提供手段と
を備えていることを特徴とするエレベータシステム。
【発明の詳細な説明】
【技術分野】
【０００１】
この発明は、エレベータ制御装置に登録された呼びに応じてかごが移動されるエレベータシステムに関するものである。
【背景技術】
【０００２】
従来のエレベータシステムにおいては、乗客毎の出発階、乗客毎の行き先階、又は乗客毎の乗降車時間を含む乗客属性情報が記憶される。このエレベータシステムは、乗客属性情報が記憶されている乗客を乗場に向かう途中で検知し、乗客が乗場に到着する前に、記憶された乗客属性情報に基づいて呼び登録（事前呼び）を行っている（例えば、特許文献１参照）。
【０００３】
【特許文献１】特開２００３−２２１１６９号公報
【発明の開示】
【発明が解決しようとする課題】
【０００４】
上記のような従来のエレベータシステムでは、エレベータ制御装置内において、複数の乗客毎に乗客属性情報を記憶及び学習を行っているので、万一何かのトラブルで乗客属性情報が消えてしまった場合には、すべての乗客に関する情報が失われ、乗客属性情報の記憶し直す必要があり、エレベータシステム全体の修復には時間と労力を費やす必要があった。
【０００５】
この発明は、上記のような課題を解決するためになされたものであり、その目的は、万一何かのトラブルが発生してしまった場合においても、エレベータ利用に関する情報が一斉に消えてしまうことを防ぐことができるエレベータシステムを提供することである。
【課題を解決するための手段】
【０００６】
この発明に係るエレベータシステムは、エレベータ利用者によって携帯される携帯型情報処理装置と、エレベータ利用者がエレベータの利用時に使用する通路及びかごの少なくともいずれか一方を含む複数箇所に配置され、携帯型情報処理装置を検知する複数の利用者検知手段と、利用者検知手段により携帯型情報処理装置が検知されると、利用者検知手段が配置された箇所でエレベータ利用者が検出されたことを利用履歴情報として携帯型情報処理装置に送る履歴情報提供手段とを備える。
【発明の効果】
【０００７】
この発明は、乗客が個人毎に携帯する携帯型情報処理装置に分散させてエレベータの利用履歴を記憶させるので、万一何かのトラブルが発生したとしても、乗客のエレベータ利用に関する利用履歴が一斉に消えてしまうことを防ぐことができる。
【発明を実施するための最良の形態】
【０００８】
以下、この発明を実施するための最良の形態について、図面を参照して説明する。
実施の形態１．
図１は、この発明の実施の形態１によるエレベータシステムを示す概略配置図である。また、図２は、この発明の実施の形態１によるエレベータシステムを示すブロック図である。図において、建物内の昇降路には、かご１は昇降路内を昇降される。昇降路の上部には、機械室が設けられている。機械室には、かご１の昇降を制御するエレベータ制御装置２が設けられている（エレベータ制御装置２は、昇降路内に設けられていてもよい）。建物内の各階には乗場３ａ〜３ｃが設けられている。乗場３ａ〜３ｃにはそれぞれ乗場側呼びボタン４ａ〜４ｃが設けられている。かご１内には、かご側呼びボタン４ｄが設けられている。呼びボタン４ａ〜４ｄは、エレベータ制御装置２と電気的に接続されている。エレベータ利用者が行う呼びボタン４ａ〜４ｄの操作に基づいて、エレベータ制御装置２は、エレベータ利用者の目的階である乗場３ａ〜３ｃにかご１を移動させる。
【０００９】
エレベータ制御装置２には、エレベータシステム識別情報記憶部５が設けられている。エレベータシステム識別情報記憶部５には、エレベータ制御装置２が関わるエレベータシステム固有の識別情報であるエレベータシステム識別情報（ＩＤ情報）が記憶されている。また、エレベータ制御装置２内には時間情報を得るための時計（図示しない）が設けられている。
【００１０】
エレベータ利用者は、この実施の形態１におけるエレベータシステムを利用するときには携帯型情報処理装置６（例えば、携帯電話、又はＰＤＡ：Ｐｅｒｓｏｎａｌ  Ｄｉｇｉｔａｌ  Ａｓｓｉｓｔａｎｔ等の携帯用ＰＣ等）を携帯している。携帯型情報処理装置６を検知するために、乗場３ａ〜３ｃ（エレベータ利用者がエレベータの利用時に使用する通路）にはそれぞれ乗場側利用者検知装置８ａ〜８ｃ（利用者検知手段、兼履歴情報提供手段）が設けられ、かご１内にはかご側利用者検知装置９（利用者検知手段、兼履歴情報提供手段）が設けられている。
【００１１】
乗場側利用者検知装置８ａ〜８ｃ及びかご側利用者検知装置９は、エレベータ制御装置２及び携帯型情報処理装置６と有線通信、又は無線通信を行うためにエレベータ通信処理部１０を有している。また、乗場側利用者検知装置８ａ〜８ｃ及びかご側利用者検知装置９は、場所識別情報記憶部１１を有している。場所識別情報記憶部１１には、それぞれの利用者検知装置８ａ〜８ｃ，９が設けられている場所を識別するための検知場所識別情報（ＩＤ情報）が記憶されている。
【００１２】
乗場側利用者検知装置８ａ〜８ｃ及びかご側利用者検知装置９は、携帯型情報処理装置６を検知すると携帯型情報処理装置６を検知したことをエレベータ制御装置２に対して報告する。すると、エレベータ制御装置２は、エレベータシステム識別情報記憶部５からエレベータシステム識別情報を読み出し、携帯型情報処理装置６を検知した乗場側利用者検知装置８ａ〜８ｃ又はかご側利用者検知装置９に対してエレベータシステム識別情報と時間情報とを送信する。そして、携帯型情報処理装置６を検知した乗場側利用者検知装置８ａ〜８ｃ又はかご側利用者検知装置９は、エレベータシステム識別情報と時間情報とに検知場所識別情報を加え、それらを含む利用履歴情報（例えば、１号かご：１階：１０時００分００秒）を携帯型情報処理装置６に対して送信する。
【００１３】
携帯型情報処理装置６は、携帯型装置内通信処理部１２、エレベータ利用履歴記憶部１３、操作表示部１４、及び情報処理部１５を有している。携帯型装置内通信処理部１２は、利用者検知装置８ａ〜８ｃ，９から送られてきた利用履歴情報を受信するためのものである。なお、携帯型装置内通信処理部１２は利用者検知装置と通信を行うため、又は利用者検知装置に検知されるためのものでもある。エレベータ利用履歴記憶部１３は、利用履歴情報を記憶（蓄積）するためのものである。操作表示部１４は、エレベータ利用者が操作して利用履歴を表示するためのものである。なお、操作表示部１４は、映像を表示するディスプレイ、エレベータ利用者が操作を行うボタン、及び音を発するスピーカ等を含んでいる。情報処理部１５は、上述した情報処理動作を行うためのものであり、携帯型装置内通信処理部１２とエレベータ利用履歴記憶部１３と操作表示部１４とに電気的に接続されている。
【００１４】
次に、動作について説明する。ここでは、動作の例として、エレベータ利用者が乗場３ａから乗場３ｃへと移動するときについて説明する。
【００１５】
まず、エレベータ利用者が乗場３ａに向かい、携帯型情報処理装置６と乗場側利用者検知装置８ａとが通信可能な距離に入ると、乗場側利用者検知装置８ａによって携帯型情報処理装置６が検知され、利用履歴情報Ｉ（例えば、１号かご：１階：８時１０分００秒）が乗場側利用者検知装置８ａから携帯型情報処理装置６に対して送信される。そして、携帯型情報処理装置６は、利用履歴情報Ｉを受信し、エレベータ利用履歴記憶部１３に記憶する。
【００１６】
次に、エレベータ利用者が乗場３ａに到着したかご１に乗り込むと、かご側利用者検知装置９によって携帯型情報処理装置６が検知され、利用履歴情報ＩＩ（例えば、１号かご：かご内：８時１１分３０秒）がかご側利用者検知装置９から携帯型情報処理装置６に対して送信される。そして、携帯型情報処理装置６は、利用履歴情報ＩＩを受信し、エレベータ利用履歴記憶部１３に記憶する。
【００１７】
この後、かご１が乗場３ｃに到着し、エレベータ利用者がかご１から降りると、乗場側利用者検知装置８ｃによって携帯型情報処理装置６が検知され、利用履歴情報ＩＩＩ（例えば、１号かご：３階：８時１２分００秒）が乗場側利用者検知装置８ｃから携帯型情報処理装置６に対して送信される。そして、携帯型情報処理装置６は、利用履歴情報ＩＩＩを受信し、エレベータ利用履歴記憶部１３に記憶する。
【００１８】
この後、携帯型情報処理装置６内の情報処理部１５では、利用履歴情報Ｉ〜ＩＩＩの処理が行われ、利用履歴情報ＩＶが作成される。これにより、エレベータ利用者は操作表示部１４を操作することで、エレベータの利用履歴を検索して利用履歴情報ＩＶ（例えば、１号かご：乗車階、１階：降車階、３階：使用開始８時１０分００秒：待ち時間、１分３０秒：移動必要時間２分）（必要予想時間情報）を表示させることができる。
【００１９】
一方、エレベータ利用者が乗場３ａに向かい、そこで乗場側利用者検知装置８ａによって携帯型情報処理装置６が検知されたとしても、何らかの理由でエレベータ利用者がかご１に乗り込まないことがある。
【００２０】
利用履歴情報Ｉが記憶されてから所定時間が経過してもその他の利用履歴情報がエレベータ利用履歴記憶部１３に記憶されないときには、情報処理部１５は、エレベータ利用者がエレベータを利用しなかったと判断し、利用履歴情報Ｖを作成し、エレベータ利用者がエレベータを利用しなかった利用履歴としてエレベータ利用履歴記憶部１３内の別のフォルダに利用履歴情報Ｖを記憶させる。
【００２１】
また、利用履歴情報Ｉが記憶されてから所定時間内に利用履歴情報ＩＩＩのみがエレベータ利用履歴記憶部１３に記憶されることもある。このような場合には、情報処理部１５は、エレベータ利用者がエレベータを利用せずに、階段又はエスカレータなどの移動手段を用いて乗場３ａから乗場３ｃに移動したと判断し、利用履歴情報ＶＩを作成し、エレベータ利用者がエレベータ以外の移動手段を用いて移動した利用履歴としてエレベータ利用履歴記憶部１３内の別のフォルダに利用履歴情報ＶＩを記憶させる。
【００２２】
このようなエレベータシステムでは、各エレベータ利用者によって携帯される携帯型情報処理装置６毎にエレベータの利用履歴情報を分散させて記憶するので、万一何かのトラブルが発生してしまった場合においても、乗客のエレベータ利用に関する利用履歴が一斉に消えてしまうことを防ぐことができる。
【００２３】
また、各エレベータ利用者によって携帯される携帯型情報処理装置６内に利用履歴情報を記憶し、移動に必要とした時間の情報が蓄積されるので、移動時間の傾向を把握し、必要予想時間を提供することができ、ビル内の移動の予定を組むこともできる。
【００２４】
さらに、各エレベータ利用者によって携帯される携帯型情報処理装置６内に利用履歴情報が記憶されるので、エレベータ利用者は自分自身の行動履歴を自由に見ることができる。
【００２５】
さらにまた、１カ所に集中して利用履歴情報を記憶するのではなく、各エレベータ利用者が管理する携帯型情報処理装置６内に利用履歴情報が記憶されるので、エレベータ利用者は自分自身で利用履歴情報を管理することができ、個人情報の流出を防ぐことができる。
【００２６】
また、エレベータ利用者が携帯する携帯型情報処理装置６側に利用履歴情報を分散させて記憶させるので、エレベータ側にまとめて利用履歴情報を記憶する必要がなく、従って、エレベータ側に大きい記憶容量をもつ記憶装置を設ける必要がない。
【００２７】
実施の形態２．
次に、この発明の実施の形態２について説明する。実施の形態２によるエレベータシステムの概略配置図及びブロック図は、実施の形態１と同様に図１及び図２を用いる。図において、携帯型情報処理装置６内には、エレベータ利用者がエレベータの利用を繰り返し行い、利用履歴情報が蓄積されていく。すると、携帯型情報処理装置６内の情報処理部１５によって複数の利用履歴が管理される。その結果、例えば、エレベータ利用者が乗場３ｃからエレベータを利用しようとするときは乗場３ａへ向かうことが多い等、蓄積された利用履歴情報の傾向に基づいてエレベータ利用者の行動を情報処理部１５により予測させることができるようになる。
【００２８】
そして、このような状態になり、携帯型情報処理装置６が行先階情報を発しようとするときには、情報処理部１５が操作表示部１４を用いることでエレベータ利用者に対して行先階情報を提示（確認）する。このとき、エレベータ利用者は、操作表示部１４を操作することで行先階情報を承認、行先階情報を変更、又は行先階情報をキャンセルすることができる。この後、承認又は変更が行われた行先階情報は、携帯型装置内通信処理部１２及びエレベータ通信処理部１０を介して、情報処理部１５によってエレベータ制御装置２に対して送信される。その結果、エレベータ制御装置２は、行先階情報に基づいてエレベータ利用者の代わりに呼びボタン４ａ〜４ｄを操作して、呼び登録を発生させることができる。一方、行先階情報がキャンセルされた場合には、行先階情報は送信されず、呼びボタン４ａ〜４ｄの操作も行われない。
【００２９】
また、エレベータ利用者は操作表示部１４を操作することで、携帯型情報処理装置６内に行先階を登録することができる。即ち、エレベータ利用者は手動で、行先階情報を作成することができる。従って、エレベータ利用者は携帯型情報処理装置６を操作することで、エレベータ制御装置２に対して行先階を登録することができる。その他の構成は実施の形態１と同様である。
【００３０】
このようなエレベータシステムでは、携帯型情報処理装置６内に蓄積されている利用履歴情報を利用し、エレベータ利用者が乗場側呼びボタン４ａ〜４ｃを操作する前にかご１を乗場３ａ〜３ｃに呼ぶことができるので、乗場３ａ〜３ｃでかご１が到着するまでの待ち時間が短縮され、より効率的なエレベータサービスを提供することができる。
【００３１】
また、携帯型情報処理装置６内に蓄積されている利用履歴情報を利用しエレベータ制御装置２がかご側呼びボタン４ｄを操作するので、かご１内に大勢のエレベータ利用者が乗り込んでいてかご側呼びボタン４ｄを操作しづらいときにでも、エレベータ利用者は呼びボタン４ｄを操作することなく、目的の乗場３ａ〜３ｃに向かうことができ、より効率的なエレベータサービスを提供することができる。
【００３２】
さらに、携帯型情報処理装置６によって、行先階情報が発せられようとしているときに、エレベータ利用者に対して行先階情報が提示され、行先階情報の変更又はキャンセルが行えるので、間違った呼び登録が行われることを防ぎ、さらに効率的なエレベータサービスを提供することができる。
【００３３】
なお、携帯型情報処理装置６は、行先階情報を自動的にエレベータ制御装置２に対して送信を行い、エレベータ利用者に対しては行先階情報が送信されたことのみを知らせてもよい。この場合、行先階情報の変更又はキャンセルは、呼びボタン４ａ〜４ｄの操作によって行われる。
【００３４】
また、携帯型情報処理装置６は行先階情報をエレベータ利用者に対して提示すると同時に、エレベータ制御装置２に対して行先階情報を送信してもよい。そして、行先階情報が変更又はキャンセルされた場合には、行先階情報キャンセル指示を送信するとともに変更された行先階情報を送信する。また、行先階情報を提示すると同時に送信するという動作を行うかどうかは、記憶されている利用履歴情報（行先階情報の採用率）に基づいて判断してもよい。
【００３５】
実施の形態３．
次に、この発明の実施の形態３について説明する。実施の形態３によるエレベータシステムの概略配置図は、実施の形態１，２と同様に図１を用いる。また、図３は実施の形態３によるエレベータシステムのブロック図である。図３において、携帯型情報処理装置６には、利用者種別情報記憶部１６がさらに設けられている。利用者種別情報記憶部１６には、予め登録されたエレベータ利用者の種別を示す利用者種別情報が記憶されている。
【００３６】
利用者種別情報とは、例えば、健常者、車椅子利用者、障害者、子供、又は老人等、エレベータ利用者の種別を示す情報である。そして、情報処理部１５は、携帯型装置内通信処理部１２及びエレベータ通信処理部１０を介して、利用者種別情報をエレベータ制御装置２に対して送信する。利用者種別情報を受信したエレベータ制御装置２は、利用者種別情報に基づいて、かご１及び乗場３ａ〜３ｃにそれぞれ設けられているかごの戸（図示しない）及び乗場の戸（図示しない）の開閉速度を遅くする調整、かご１内で行われるアナウンスの内容の変更、又はアナウンスの音量を大きくする調整等の利用者種別制御を行う。また、利用者種別情報を受信したエレベータ制御装置２は、利用者種別情報と、かご１内の積載量を検出されるために設けられている秤装置（図示しない）の出力とに基づいて、エレベータ利用者の乗り込みが少ないかご１を優先的に案内する等の設定を行うこともできる。その他の構成は実施の形態２と同様である。また、実施の形態３のエレベータ制御装置２及び携帯型情報処理装置６は、実施の形態１，２で示した機能も有している。
【００３７】
次に、動作について説明する。図４は図３におけるエレベータ制御装置２の動作フローチャートであり、図５は図３における携帯型情報処理装置６の動作フローチャートである。ここでは、例えば、エレベータ利用者が乗場３ｃから乗場３ａに向かおうとするときのエレベータ制御装置２及び携帯型情報処理装置６に関する通信及び信号の流れを説明する。
【００３８】
まず、図において、エレベータ制御装置２は、乗場側利用者検知装置８ａ〜８ｃ又はかご側利用者検知装置９からの携帯型情報処理装置６を検知したという報告があるかどうか（それぞれステップＳ１０１，１０２）、乗場側呼びボタン４ａ〜４ｃ又はかご側呼びボタン４ｄの操作があるかどうか（それぞれステップＳ１０３，１０４）、並びに携帯型情報処理装置６から行先階情報及び利用者種別情報を受信したかどうか（ステップＳ１０５）を繰り返し確認している（待機状態）。
【００３９】
このとき、エレベータ利用者が乗場３ｃに向かい、携帯型情報処理装置６と乗場側利用者検知装置８ｃとが通信可能な距離に入ると、乗場側利用者検知装置８ｃによって携帯型情報処理装置６が検知されたことがエレベータ制御装置２に報告され、乗場側利用者検知装置８ｃから利用履歴情報が提供される（ステップＳ１０６）。
【００４０】
すると、携帯型情報処理装置６によって利用履歴情報が受信され（ステップＳ２０１）、エレベータ利用履歴記憶部１３に利用履歴情報が記憶される（ステップＳ２０２）。次に、情報処理部１５によって、受信した利用履歴情報と同じような利用履歴情報（例えば、利用開始乗場及び時間情報が近似している利用履歴情報）が記憶されていないかがエレベータ利用履歴記憶部１３内で検索される（ステップＳ２０３）。検索した結果、近似した利用履歴情報が発見されると、受信した利用履歴情報（現在の階床及び時間）と記憶されている複数の利用履歴情報とが比較され、行先階情報を発することができるかどうかが情報処理部１５によって判断される（ステップＳ２０４）。その結果、行先階情報を発することができると判断されると、操作表示部１４が動作することで、行先階情報がエレベータ利用者に対して提示され（ステップＳ２０５）、行先階情報の変更が行われるかが監視される（ステップＳ２０６）。
【００４１】
そして、エレベータ利用者によって行先階情報の変更が行われた場合や、エレベータ利用履歴記憶部１３内で近似した利用履歴情報が発見されなかった場合、又は記憶している利用履歴情報の中では行先階が特定できず行先階情報を発することができなかった場合には、次に、エレベータ利用者が手動で行先階情報が登録されるかどうかが情報処理部１５によって監視される（ステップＳ２０７）。
【００４２】
そして、行先階情報が変更されず承認された場合、又は行先階情報が手動で行先階情報が入力された場合には、承認、又は手動で登録された行先階情報がエレベータ制御装置２に対して送信される（ステップＳ２０８）。一方、行先階情報が変更された結果取り消された場合には行先階情報は送信されない。これらの後に、携帯型情報処理装置６によってエレベータ制御装置２に対して利用者種別情報が送信される（ステップＳ２０９）。
【００４３】
次に、エレベータ制御装置２が行先階情報を受信すると、エレベータ利用者が呼びボタン４ａ〜４ｄを操作することなく呼び登録が行われ、エレベータ制御装置２はエレベータ利用者が乗り込むべき最適な号機（いずれかのかご）を決定し利用者に連絡する（ステップＳ１０７）。すると、エレベータ利用者が呼びボタン４ａ〜４ｄによって行先階をキャンセルしないかどうか、また行先階情報のキャンセルが行われないかどうかがエレベータ制御装置２によって監視される（ステップＳ１０８）。ここで、もし、呼びボタン４ａ〜４ｄによる呼び登録のキャンセルや行先階情報のキャンセルが行われた場合には、かご１の配車が中止され、エレベータ制御装置２は待機状態に戻る（ステップＳ１０９）。しかし、呼びボタン４ａ〜４ｄによるキャンセルや行先階情報のキャンセルが行われないときには、かご１が配車される（ステップＳ１１０）。
【００４４】
次に、エレベータ制御装置２は、携帯型情報処理装置６から利用者種別情報を受信しているかどうかを確認する（ステップＳ１１１）。利用者種別情報を受信している場合には利用者種別情報に基づいて利用者種別制御が行われる（ステップＳ１１２）。
【００４５】
そして、かご１が乗場３ｃに到着すると、乗場呼びボタン４ｃの操作が解除され、次にエレベータ利用者がかご１内に乗り込むかどうかが監視される（ステップＳ１０２）。エレベータ利用者がかご１に乗り込むと、かご側利用者検知装置９によって、エレベータ利用者がかご１に乗り込んだ（携帯型情報処理装置６がかご１内にある）ことがエレベータ制御装置２に対して報告され、携帯型情報処理装置６に利用履歴情報が送信される（ステップＳ１１３）。このとき、かご側呼びボタン４ｄが、エレベータ利用者自身によって、又はエレベータ制御装置２が行先階情報に基づいて操作される。その結果、かご１が乗場３ａへと移動される。
【００４６】
そして、かご１が乗場３ａに到着し、エレベータ利用者はかご１を降りると、乗場側利用者検知装置８ａによってエレベータ利用者が乗場３ａにいることがエレベータ制御装置２に報告される（ステップＳ１０１）。その結果、利用履歴情報が発せられ（ステップＳ１０６）、携帯型情報処理装置６によって受信される（ステップＳ２０１）。
【００４７】
一方、携帯型情報処理装置６によって移動階情報が発せられなかった場合には、エレベータ利用者自身が乗場側呼びボタン４ｃの操作を行う。すると、乗場側呼びボタン４ｃの操作に応じてエレベータ制御装置２はエレベータ利用者が乗り込むべき最適な号機を決定する（ステップＳ１１４）。かご１が乗場３ｃに到着すると乗場側呼びボタン４ｃの操作が解除され、次にかご側呼びボタン４ｄの操作が確認され（ステップＳ１０４）、かご側呼びボタン４ｄの操作によってかご１が配車（移動）される。なお、このとき、エレベータ利用者が携帯型情報処理装置６を携帯していなければ、利用者種別制御は行われない。  
【００４８】
また、携帯型情報処理装置６内では利用履歴情報の管理が行われる。そのため、どこで利用履歴情報を受信したかが場合分けされ、それぞれ別々のフォルダに記憶される。その場合分けの中では、まず、乗場３ｃでの利用履歴情報を受信した後、所定時間内にかご１内での利用履歴情報が記憶されたかどうかが判断される（ステップＳ２１０）。
【００４９】
上述したように、エレベータ利用者がかご１に乗り込んだときにはかご１内での利用履歴情報が記憶されている。そのときには、乗場３ｃ以外の階床での利用履歴情報が記憶されたかどうかが確認される（ステップＳ２１１）。そして、乗場３ａでの利用履歴情報が記憶されていれば、エレベータを利用して移動した利用履歴がエレベータ利用履歴情報として記憶される（ステップＳ２１２）。また、かご１には乗り込んだが同じ階床で降りた場合もある。そのときには、エレベータを利用しなかった利用履歴が不利用履歴情報として記憶される（ステップＳ２１３）。
【００５０】
一方、エレベータ利用者が乗場３ｃに向かい、そこで乗場側利用者検知装置８ｃによって検知されたとしても、何らかの理由でかご１に乗り込まず、かご１内での利用履歴情報を受信しないこともある。そのような場合でも次に乗場３ｃ以外の階床での利用履歴情報が記憶されたかが確認される（ステップＳ２１４）。そして、乗場３ｃでの利用履歴情報しか記憶していなければ、利用履歴が不利用履歴情報として記憶される（ステップＳ２１３）。また、かご１での利用履歴情報が記憶されていなくても乗場３ｃでの利用履歴情報と乗場３ａでの利用履歴情報とが記憶されていることもある。そのときは、エレベータを利用しないで移動したという利用履歴が他移動手段利用履歴情報として記憶される（ステップＳ２１５）。そして、それぞれの利用履歴情報を記憶した後に、携帯型情報処理装置６の動作は終了し、利用履歴情報が受信されるかどうかが判断され続ける（待機状態）（ステップＳ２０１）。
【００５１】
このようなエレベータシステムでは、携帯型情報処理装置６内の利用履歴情報を利用してかご１を呼ぶとともに、車椅子利用者等のエレベータ利用者に対応したエレベータサービスを提供することができるので、車椅子利用者等のエレベータ利用者がエレベータを使用するときにより安心感を与えるエレベータサービスを提供できる。
【００５２】
また、例えば、携帯型情報処理装置６が行先階情報を発したとしても、エレベータ利用者によって行先階情報が変更又はキャンセルが行われることもある。このとき、携帯型情報処理装置６は、変更又はキャンセルされた結果の利用履歴情報を記憶することで、行先階情報を発するための利用履歴情報の数が随時補正される。即ち、携帯型情報処理装置６が利用履歴情報を蓄積及び解析することで学習を行い、それに基づいて行先階情報が発することができるので、より効率のよいエレベータサービスを提供することができる。
【００５３】
さらに、利用履歴情報を場合分して記憶するので、エレベータを利用せずに階段で移動するなどの行動も予測することができる。従って、不必要な行先階情報の発生を防止することができるので、さらに効率のよいエレベータサービスを提供することができる。
【００５４】
なお、実施の形態１〜３においては、乗場側利用者検知装置８ａ〜８ｃ、又はかご側利用者検知装置９が、携帯型情報処理装置６を検出していた。しかし、乗場側利用者検知装置８ａ〜８ｃ、又はかご側利用者検知装置９を携帯型情報処理装置６が検知してもよく、乗場側利用者検知装置８ａ〜８ｃ、又はかご側利用者検知装置９は携帯型情報処理装置６によって検知されたときのみ動作を行ってもよい。
【００５５】
実施の形態４．
次に、この発明の実施の形態４について説明する。図６は、実施の形態４によるエレベータシステムを示す概略配置図である。また、図７は、実施の形態４によるエレベータシステムを示すブロック図である。図において、実施の形態１〜３ではエレベータ利用者は携帯型情報処理装置を携帯していた。しかし、実施の形態４では、エレベータ利用者は携帯型記憶装置１７を携帯している。
【００５６】
携帯型記憶装置１７には、アクセス情報を記憶するアクセス情報記憶部１８と、乗場側利用者検知装置８ａ〜８ｃ及びかご側利用者検知装置９によって検知されるため、もしくはアクセス情報を発信するための情報発信部１９と、エレベータ利用者が操作し情報を表示させる簡易操作表示部２０とが設けられている。即ち、携帯型記憶装置１７とは、簡易的な操作部（ボタン）と、簡易的な表示部（液晶ディスプレイ等）と、記憶部（ＩＣチップ等）とを有するＩＣカードのようなものである。
【００５７】
アクセス情報とは、外部情報処理装置２１への通信方法に関する情報である。また、アクセス情報は乗場側利用者検知装置８ａ〜８ｃによって携帯型記憶装置１７から取得され、乗場側利用者検知装置８ａ〜８ｃによってエレベータ制御装置２２に送信される。
【００５８】
外部情報処理装置２１とは、例えばエレベータ利用者が家庭や職場で使用するＰＣ、又はエレベータ利用者が契約する管理会社の通信端末等である。即ち、外部情報処理装置２１とは、設置場所は任意であり、通信可能な情報処理装置である。この実施の形態４における説明ではネットワークを介して接続することができる情報処理装置とする。即ち、この実施の形態４の説明におけるアクセス情報（外部情報処理装置２１への通信方法）とは、ネットワーク（インターネット）のアドレス情報（例えば、ＵＲＬ：Ｕｎｉｆｏｒｍ  Ｒｅｓｏｕｒｃｅ  Ｌｏｃａｔｏｒ）である。
【００５９】
外部情報処理装置２１には、エレベータ制御装置２２と通信を行うための外部通信処理部２４が設けられている。また外部情報処理装置２１は、実施の形態１〜４における携帯型情報処理装置と同様に、エレベータ利用履歴記憶部１３、操作表示部１４、及び情報処理部１５を有している。情報処理部１５は外部通信処理部２４、エレベータ利用履歴記憶部１３、操作表示部１４、及び情報処理部１５と電気的に接続されている。
【００６０】
エレベータ制御装置２２は、実施の形態１〜３のエレベータ制御装置２にさらにエレベータ制御装置内通信処理部２３が設けられているものである。また、エレベータ制御装置２２はエレベータ制御装置内通信処理部２３を用いることで、アクセス情報に基づいて外部情報処理装置２１と通信を行う。なお、通信とは有線又は無線で直接又はネットワークを介して情報のやりとりを行うことである。その他の構成は実施の形態１と同様である。
【００６１】
次に、動作について説明する。ここでは、例として実施の形態１と同様にエレベータ利用者が乗場３ａから乗場３ｃへと移動するときについて、携帯型記憶装置１７、エレベータ制御装置２２、及び外部情報処理装置２１に関する通信及び信号の流れを説明する。
【００６２】
携帯型記憶装置１７を携帯したエレベータ利用者が乗場３ａに向かい、携帯型記憶装置１７と乗場側利用者検知装置８ａとが通信可能な距離に入ると、乗場側利用者検知装置８ａによって携帯型記憶装置１７が検知されるとともに、乗場側利用者検知装置８ａと携帯型記憶装置との間で通信が行われ、アクセス情報が乗場側利用者検知装置８ａに取得される。次に、乗場側利用者検知装置８ａによって携帯型記憶装置１７が検知されたということがエレベータ制御装置２２に対して報告されるとともに、アクセス情報及び検知場所識別情報がエレベータ制御装置２２に対して送信される。
【００６３】
アクセス情報及び検知場所識別情報を受信したエレベータ制御装置２２は、アクセス情報に基づいて外部情報処理装置２１と接続され、検知場所識別情報に時間情報及びエレベータシステム識別情報を加え、それらを利用履歴情報として外部情報処理装置２１に対して送信する。次に、外部情報処理装置２１内の情報処理部１５は、外部通信処理部２４を介して利用履歴情報を受信し、利用履歴情報をエレベータ利用履歴記憶部１３に記憶させる。
【００６４】
そして、エレベータ利用者は、呼びボタン４ａを操作することでかご１を乗場３ａに呼び、乗場３ａに到着したかご１に乗り込み、乗場３ｃに到着したかご１から降りると、エレベータ利用者が携帯する携帯型記憶装置１７は、かご１及び乗場３ｃにおいて、それぞれかご側利用者検知装置９及び乗場側利用者検知装置８ｃによって検知され、それぞれの場所における利用履歴情報が外部情報処理装置２１内に記憶及び蓄積される。そして、エレベータ利用者はネットワークを介して、外部情報処理装置２１内に記憶されている利用履歴情報を検索することもできる。従って、ビル内を移動するときの必要予測時間もネットワークを介して検索することができる。
【００６５】
このようなエレベータシステムでは、実施の形態１の効果に加え、エレベータ利用者が携帯する機器から情報処理部１５を分け、外部情報処理装置２１に利用履歴情報を蓄積させるので、エレベータ利用者が携帯する携帯型記憶装置１７はより簡易なものでよく、より利便性が向上する。
【００６６】
また、通信によって接続される外部情報処理装置２１に利用履歴情報を記憶させるので、外部情報処理装置２１に接続することができる場所であるならば、どこからでも利用履歴を検索することができる。従って、ビル内を移動するときの必要予測時間も外部情報処理装置２１と通信可能な場所であれば検索することができる。
【００６７】
実施の形態５．
次に、この発明の実施の形態５について説明する。実施の形態５によるエレベータシステムの概略配置図及びブロック図は、実施の形態４と同様に図６及び図７を用いる。図において、外部情報処理装置２１は、実施の形態２における携帯型情報処理装置６と同様に、利用履歴情報を蓄積することで、エレベータ利用者の行動に関する行先階情報をエレベータ制御装置２２に対して発することができる。また、携帯型記憶装置１７は、行先階情報が発せられたことを簡易操作表示部２０によってエレベータ利用者に対して知らせることができる。その他の構成は実施の形態４と同様である。
【００６８】
次に、動作について説明する。例えば、エレベータ利用者が乗場３ｃから乗場３ａに向かおうとし、外部情報処理装置２１内にはエレベータ利用者の行先階情報を発生できる程の利用履歴情報が蓄積されているとする。このときの携帯型記憶装置１７及び外部情報処理装置２１に関する通信及び信号の流れを説明する。
【００６９】
携帯型記憶装置１７を携帯したエレベータ利用者が乗場３ｃに向かい、携帯型記憶装置１７と乗場側利用者検知装置８ｃとが通信可能な距離に入ると、乗場側利用者検知装置８ｃによって携帯型記憶装置１７が検知され、その結果その場所及び時刻における利用履歴情報が外部情報処理装置２１に対して送信される。
【００７０】
すると、外部情報処理装置２１は受信した利用履歴情報に関連がある利用履歴情報がエレベータ利用履歴記憶部１３内に記憶されていないかどうか検索され、同様の利用履歴情報が発見された場合には、外部情報処理装置２１によって行先階情報が自動的に発せられ、エレベータ利用者が呼びボタン４ａ、４ｄを操作する前にエレベータ制御装置２２によって呼び登録がなされ、エレベータ利用者は目的の階床へと移動することができ、行先階情報に沿った利用履歴情報がエレベータ利用履歴記憶部１３内に記憶される。
【００７１】
一方、外部情報処理装置２１に乗場３ｃにおける利用履歴情報が記憶されてから所定時間が経過してもその他の利用履歴情報が記憶されないときには、外部情報処理装置２１内の情報処理部１５によって、エレベータ利用者がエレベータを利用していないことが判断され、エレベータを利用しなかった利用履歴情報としてエレベータ利用履歴記憶部１３内の別フォルダに記憶される。
【００７２】
また、実施の形態１と同様にエレベータ利用者が乗場３ｃに向かい、携帯型情報処理装置６によって乗場３ａに向かうように行先階情報が発せられたとしても、エレベータ利用者は乗場３ｂに向かう場合がある。このような場合には、エレベータ利用者は、かご１に乗り込み、呼びボタン４ｄを操作することで乗場３ｂへと向かう。そして、乗場側利用者検知装置８ｂによって検知され、外部情報処理装置２１には乗場３ｂにおける利用履歴情報が記憶される。
【００７３】
即ち、行先階情報が発せられてとしても、行先階情報とは違う行動をエレベータ利用者は行う場合もある。そのようなときの利用履歴情報によって、外部情報処理装置２１は行先階情報が誤っていたと判断し、外部情報処理装置２１が行先階情報を発するための利用履歴情報の数が随時補正される。即ち、外部情報処理装置２１が利用履歴情報を蓄積及び解析することで学習を行い、これによって、行先階情報が発せられている。
【００７４】
一方、受信した利用履歴情報と同様の利用履歴情報がエレベータ利用履歴記憶部１３内に記憶されていなければ、外部情報処理装置２１によって行先階情報が発せられることはなく、自動的には呼びの登録は行われない。
【００７５】
このようなエレベータシステムでは、実施の形態４の効果に加え、外部情報処理装置２１内に蓄積されている利用履歴情報を利用し、エレベータ利用者が呼びボタン４ａ〜４ｃを操作する前にかご１を乗場３ａ〜３ｃに呼ぶことができるので、乗場３ａ〜３ｃでかご１が到着するまでのエレベータ利用者の待ち時間を短縮することができ、より効率的なエレベータサービスを提供することができる。
【００７６】
実施の形態６．
次に、この発明の実施の形態６について説明する。実施の形態６によるエレベータシステムの概略配置図及びブロック図は、実施の形態４，６と同様に図６及び図７を用いる。実施の形態５では、外部情報処理装置２１は、利用履歴情報を受信したときに、近似した利用履歴情報を検索し、近似した利用履歴情報が発見された場合は、行先階情報を自動的に発し、エレベータ制御装置２２によって自動的に呼び登録がなされていた。しかし、実施の形態６においては、行動予測動作開始情報を受信した携帯型記憶装置１７は簡易操作表示部２０を動作させることによって、行先階情報の提示（確認）がエレベータ利用者に対して行われる。エレベータ制御装置２２は、携帯型記憶装置１７から送られてくるエレベータ利用者が承認又は変更を行った行先階情報（指令）に基づいて、行先階の登録の可否を判断する。その他の構成は実施の形態５と同様である。
【００７７】
次に、動作について説明する。エレベータ利用者が乗場３ａ〜３ｃに向かい、利用履歴情報が外部情報処理装置２１に対し送信され、行先階情報がエレベータ制御装置２２に対し送信され、行動予測動作開始情報が携帯型記憶装置１７に対し送信される。このとき、携帯型記憶装置１７は簡易操作表示部２０を動作させることによって、行先階情報の提示（確認）をエレベータ利用者に対して行う。エレベータ利用者は行先階情報を確認し、変更がなければ承認をし、変更があれば簡易操作表示部２０を用い変更（行先階情報のキャンセルも含む）を行い、承認又は変更された行先階情報（キャンセル指令も含む）が乗場側利用者検知装置８ａ〜８ｃ、又はかご側利用者検知装置９を介し携帯型記憶装置１７からエレベータ制御装置２２に対して送られる。その結果、エレベータ制御装置２２は、承認又は変更された行先階情報に基づいて呼びボタン４ａ〜４ｄを操作する。又、エレベータ利用者が所定時間内に簡易操作表示部２０を操作しなければ、行先階情報が承認されたと判断され、エレベータ制御装置２２は行先階情報に基づいて呼びボタン４ａ〜４ｄを操作する。
【００７８】
このようなエレベータシステムでは、実施の形態４の効果に加え、行先階情報が送られたことがエレベータ利用者に対して知られるのみではなく、行先階情報の確認がされるので、間違った呼び登録が行われることを防ぎ、さらにより効率的なエレベータサービスを提供することができる。
【００７９】
なお、実施の形態６において、エレベータ利用者に対して行先階情報の提示（確認）が行われ、エレベータ利用者が所定時間内に簡易操作表示部２０を操作しなければ、行先階情報の変更がないと判断され、行先階情報に基づく動作が行われていた。しかし、エレベータ利用者に対して行先階情報を提示するのみでもよく、エレベータ利用者が行先階情報の提示に対して、所定時間内に簡易操作部２０の操作が行わないときは行先階情報が無効にされてもよい。
【００８０】
実施の形態７．
次に、この発明の実施の形態７について説明する。実施の形態７によるエレベータシステムの概略配置図は、実施の形態５と同様に図６を用いる。また、図８は実施の形態７によるエレベータシステムのブロック図である。図８において、外部情報処理装置２１内には、利用者種別情報記憶部１６がさらに設けられている。利用者種別情報記憶部１６には、予め登録されたエレベータ利用者の種別を示す利用者種別情報が記憶されている。
【００８１】
利用者種別情報とは、実施の形態３と同様に、例えば、健常者、車椅子利用者、障害者、子供、又は老人等、エレベータ利用者の種別を示す情報である。そして、外部情報処理装置２１内の情報処理部１５は外部通信処理部２４及びネットワークを介して、エレベータ制御装置２２に対して利用者種別情報を送信する。このとき、エレベータ制御装置２２は、実施の形態３と同様に利用者種別情報に基づいてエレベータ装置の制御を行う。その他の構成は実施の形態５，６と同様である。
【００８２】
このようなエレベータシステムでは、実施の形態５の効果に加え、外部情報処理装置２１内の利用履歴情報を利用してかご１を呼ぶとともに、車椅子利用者等のエレベータ利用者に対応したエレベータサービスを提供することができるので、車椅子利用者等のエレベータ利用者がエレベータを使用するときにより安心感を与えるエレベータサービスを提供できる。
【００８３】
なお、実施の形態４〜７においては、乗場側利用者検知装置８ａ〜８ｃ、又はかご側利用者検知装置９が、携帯型記憶装置１７を検出していた。しかし、乗場側利用者検知装置８ａ〜８ｃ、又はかご側利用者検知装置９を携帯型記憶装置１７が検知してもよく、乗場側利用者検知装置８ａ〜８ｃ、又はかご側利用者検知装置９は携帯型記憶装置１７によって検知されたときのみ動作を行ってもよい。
【００８４】
また、実施の形態４〜７においては、実施の形態１〜３における携帯型情報処理装置６は用いられていなかった。しかしながら、外部情報処理装置と携帯型情報処理装置は同一のものでもよい。従って、もしエレベータ利用者が携帯型情報処理装置を携帯することを忘れてしまったとしても、その予備として携帯型記憶装置を用いることもできる。
【００８５】
さらにまた、実施の形態２，３，５，６，７では、行先階情報が発せられる利用履歴情報の数は自動で設定されているが、エレベータ利用者の意思によって行先階情報が発せられる利用履歴情報の数を設定することも可能であり、また、エレベータ利用者の意思によって利用履歴情報を作成し行先階情報を発することもできる。
【００８６】
また、実施の形態１〜７において、乗場側利用者検知装置８ａ〜８ｃは乗場３ａ〜３ｃに設けられていた。しかしながら、利用者検知装置はエレベータ利用者がエレベータの利用時に使用する通路に設ければよく、例えば、乗場に向かうまでの廊下、又はオフィスの出入口等に設けてもよい。
【図面の簡単な説明】
【００８７】
【図１】この発明の実施の形態１，２，３によるエレベータシステムを示す概略配置図である。
【図２】この発明の実施の形態１，２によるエレベータシステムを示すブロック図である。
【図３】この発明の実施の形態３によるエレベータシステムを示すブロック図である。
【図４】図３におけるエレベータ制御装置の動作フローチャートである。
【図５】図３における携帯型情報処理装置の動作フローチャートである。
【図６】この発明の実施の形態４，５，６，７によるエレベータシステムを示す概略配置図である。
【図７】この発明の実施の形態４，５，６によるエレベータシステムを示すブロック図である。
【図８】この発明の実施の形態７によるエレベータシステムを示すブロック図である。
【符号の説明】
【００８８】
１  かご、２  エレベータ制御装置、３ａ〜３ｃ  乗場（エレベータ利用者がエレベータの利用時に使用する通路）、６  携帯型情報処理装置、８ａ〜８ｃ  乗場側利用者検知装置（利用者検知手段、兼履歴情報提供手段）、９  かご側利用者検知装置（利用者検知手段、兼履歴情報提供手段）、１７  携帯型記憶装置、２１  外部情報処理装置、２２  エレベータ制御装置、２４  外部通信処理部（履歴情報提供手段）。
【図１】
2006056678.tif 000003
【図２】
2006056678.tif 000004
【図３】
2006056678.tif 000005
【図４】
2006056678.tif 000006
【図５】
2006056678.tif 000007
【図６】
2006056678.tif 000008
【図７】
2006056678.tif 000009
【図８】
2006056678.tif 000010